(57)【特許請求の範囲】
【請求項１】
カップ部を有する衣類であって、
一対のカップ部、土台部、バック部および肩ストラップを含み、
前記土台部は、前記一対のカップ部の下縁部に配置され、
前記バック部は、前記土台部の脇側に取り付けられ、
さらに、表カップを含み、
前記表カップは、前記一対のカップ部の肌側と反対側に配置され、
前記表カップは、前記土台部の下辺および脇上辺に固着され、かつ、前記一対のカップ部の上縁部及び下縁部には固着されておらず、
前記肩ストラップは、前記表カップの上部に取り付けられていることを特徴とするカップ部を有する衣類。
【請求項２】
前記表カップが、前記カップ部の上辺に重なる位置から前記肩ストラップの取り付け位置までの領域の少なくとも一部において、伸縮性を有する素材で形成されていることを特徴とする、請求項１記載のカップ部を有する衣類。
【請求項３】
前記表カップのバストを覆う部分が、非伸縮性素材、または前記伸縮性を有する素材よりも伸縮性の低い素材で形成されていることを特徴とする、請求項２記載のカップ部を有する衣類。
【請求項４】
前記一対のカップ部内の脇側部分および前記土台部が、前記一対のカップ部のその他の部分を形成する素材に比べて形状安定性が高い素材で形成されていることを特徴とする、請求項１から３のいずれか一項に記載のカップ部を有する衣類。
【請求項５】
前記一対のカップ部の双方の脇側下縁部の曲率と、前記土台部における前記一対のカップ部の脇側下縁部に配置される部分の曲率とが、略同一であることを特徴とする、請求項１から４のいずれか一項に記載のカップ部を有する衣類。
【請求項６】
前記一対のカップ部の双方の前中心側下縁部の曲率と、前記土台部における前記一対のカップ部の前中心側下縁部に配置される部分の曲率とが、略同一であることを特徴とする、請求項１から５のいずれか一項に記載のカップ部を有する衣類。
【請求項７】
衣類がブラジャーであることを特徴とする、請求項１から６のいずれか一項に記載のカップ部を有する衣類。
【発明の詳細な説明】
【技術分野】
【０００１】
本発明は、カップ部を有する衣類に関する。
【背景技術】
【０００２】
ブラジャー等のカップ部を有する衣類としては、カップ部の下縁部にワイヤーを配置したワイヤータイプの衣類と、ワイヤーを有していないノンワイヤータイプの衣類がある。ノンワイヤータイプの衣類は、ワイヤータイプの衣類に比べて、着用感が楽であるという利点がある。しかし、ノンワイヤータイプのブラジャーでは、ワイヤーによる補正効果がないため、造形力が不十分であった。そのため、バストの谷間ができない、脇がすっきりしない、バストトップが寄せられず離れたままである、横長なバストシルエットになる、バストが持ち上がらない、などの問題があった。ノンワイヤータイプのブラジャーの場合、バストを持ち上げるためにストラップなどでカップ部を引き上げようとすると、カップ部の下縁部がワイヤーで固定されていないために、カップ部の形状がつぶれてしまう。そこで、カップ部の表面にカップ部とは別体の補強布を重ね、前記補強布の下辺を前記カップ部の下縁部に固着するとともに、前記補強布の他部分を前記カップ部から分離し、長さ調整可能な肩ストラップの前端を前記補強布の上端に係止する技術が提案されている（例えば、特許文献１参照）。
【先行技術文献】
【特許文献】
【０００３】
【特許文献１】特開２００７−１５４３２６号公報
【発明の概要】
【発明が解決しようとする課題】
【０００４】
しかし、前記補強布などのバストを持ち上げるための部材が、カップ部の下縁部に固着されていると、カップ部下縁部がバージスラインの上にずり上がってしまったり、カップ部が引きつれてしまい、うまくバストを持ち上げることができないという問題があった。
【０００５】
そこで、本発明は、カップ部下縁部がずり上がったり、カップ部が引きつれたりすることなく、バストを持ち上げることができ、ノンワイヤータイプであってもワイヤータイプと同様に造形できる、カップ部を有する衣類を提供することを目的とする。
【課題を解決するための手段】
【０００６】
前記目的を達成するために、本発明のカップ部を有する衣類は、
カップ部を有する衣類であって、
一対のカップ部、土台部、バック部および肩ストラップを含み、
前記土台部は、前記一対のカップ部の下縁部に配置され、
前記バック部は、前記土台部の脇側に取り付けられ、
さらに、表カップを含み、
前記表カップは、前記一対のカップ部の肌側と反対側に配置され、
前記表カップは、前記土台部の下辺および脇上辺に固着され、かつ、前記一対のカップ部の下縁部には固着されておらず、
前記肩ストラップは、前記表カップの上部に取り付けられていることを特徴とする。
【発明の効果】
【０００７】
本発明のカップ部を有する衣類は、前記表カップが前記カップ部の下縁部には固着されておらず、前記土台部の下辺および脇上辺に固着されており、前記カップ部と前記表カップとが分離している。したがって、前記表カップを引き上げることにより、カップ部下縁部がずり上がったり、カップ部が引きつれたりすることなく、バストを持ち上げることができる。これにより、本発明のカップ部を有する衣類は、ノンワイヤータイプであってもワイヤータイプと同様にバストを造形できる。
【図面の簡単な説明】
【０００８】
【図１】図１は、本発明のカップ部を有する衣類の一例である、第１の実施形態に係るブラジャーの正面図である。
【図２】図２（ａ）、（ｂ）、（ｃ）、（ｄ）は、前記第１の実施形態に係るブラジャーのカップ部付近の背面図である。
【図３】図３は、前記第１の実施形態に係るブラジャーをＩ−Ｉ方向に見た断面図である。
【図４】図４（ａ）、（ｂ）は、本発明のカップ部を有する衣類の一例である、第２の実施形態に係るブラジャーのカップ部付近の背面図である。
【図５】図５（ａ）は、前記第２の実施形態に係るブラジャーの土台部および内カップの展開図、図５（ｂ）は、従来品のブラジャーの土台部およびカップ部の展開図である。
【図６】図６は、本発明のカップ部を有する衣類の一例である、第３の実施形態に係るブラジャーの正面図である。
【図７】図７（ａ）、（ｂ）は、本発明のカップ部を有する衣類の一例である、第４の実施形態に係るブラジャーのカップ部付近の背面図である。
【図８】図８は、本発明のカップ部を有する衣類のその他の例を示す斜視図である。（ａ）は、第５の実施形態に係るブラキャミソールの一例、（ｂ）は、第６の実施形態に係るブラキャミソールの一例、（ｃ）は、前記第６の実施形態に係るブラキャミソールの変形例である。
【図９】図９（ａ）、（ｂ）は、カップ下縁部と土台部との縫着方法の一例を示す図である。
【発明を実施するための形態】
【０００９】
本発明のカップ部を有する衣類について、例をあげて説明する。ただし、本発明は、以下の例に限定および制限されない。
【００１０】
（第１の実施形態）
図１および図２に、本発明のカップ部を有する衣類の第１の実施形態に係るブラジャー１００を示す。図１は、ブラジャー１００の正面図、図２は、ブラジャー１００のカップ部付近の背面図である。本実施形態のブラジャー１００は、一対のカップ部１０１、土台部１０２、一対のバック部１０３および一対の肩ストラップ１０４を備えたいわゆるフルカップタイプのブラジャーである。本実施形態のブラジャー１００は、さらに、一対のカップ部１０１の肌側と反対側に、表カップ１０５が設けられている。一対のカップ部１０１の下縁部には、土台部１０２が設けられている。一対のカップ部１０１の下縁部は、バージスラインに沿うように形成されており、土台部１０２によって連結されている。土台部１０２の脇側には、一対のバック部１０３の一端が取り付けられている。一対のバック部１０３の他端は、連結係止部（図示せず）が取り付けられて、背中心付近で着脱自在になっている。表カップ１０５は、土台部１０２の下辺Ｌ１および脇上辺Ｌ２に固着され、かつ、カップ部１０１の下縁部Ｌ３には固着されていない。図２（ａ）〜（ｄ）に、一対のカップ部１０１の例を示す。図２（ａ）〜（ｄ）に示すように、一対のカップ部１０１は、従来の様々の態様のカップ部を使用することができる。
【００１１】
図３は、ブラジャー１００をＩ−Ｉ方向に見た断面図である。表カップ１０５は、土台部１０２の下辺Ｌ１および脇上辺Ｌ２に固着され、かつ、一対のカップ部（内カップ）１０１の下縁部Ｌ３には固着されていない。すなわち、一対のカップ部１０１と表カップ１０５とは、分離している。これにより、表カップ１０５を引き上げる力を、土台部１０２の下辺Ｌ１からカップ部全体にかけることができる。前記表カップを引き上げる力は、土台部１０２を支点として、内カップ１０１下部を押し上げることができる。そのため、土台部１０２のずり上がりを防ぎつつ、バストを土台部１０２付近から持ち上げることができる。また、内カップ１０１の下縁部を引き上げるのではなく、内カップ１０１とは別の部材である表カップ１０５によってバストを持ち上げるため、カップ部下縁部がずり上がってバージスラインとずれてしまったり、カップ部が引きつれたりすることなく、バストを持ち上げることができる。なお、内カップ１０１と表カップ１０５とは、バック部１０３の取り付け位置である脇側において固着されていてもよい。
【００１２】
本実施形態においては、表カップ１０５は、内カップ１０１の上辺に重なる位置から、肩ストラップ１０４の取り付け位置までの領域の少なくとも一部において、伸縮性が高い素材で形成されている伸縮部１０５Ａを有するが、本発明はこれに限定されない。伸縮部１０５Ａに使用される素材としては、例えば、パワーネット、ストレッチ織物、フライス、天竺、ストレッチレース等があげられる。これにより、肩ストラップ１０４のバストを持ち上げる力を、表カップ１０５に効率よく伝えることができる。また、伸縮部１０５Ａが着用者の動きに合わせて伸縮するため、カップまたは土台部１０２がずり上がるのを防ぐことができる。伸縮部１０５Ａは、前記範囲内において広く設けるほど、表カップ１０５の安定性を高めることができる。
【００１３】
本実施形態において、表カップ１０５に使用する素材は、特に制限されないが、非伸縮性または難伸縮性の素材で形成されていることが好ましい。前記難伸縮性の素材は、前記伸縮部１０５Ａに使用される素材よりも伸縮性が低いものであればよい。前記非伸縮性または難伸縮性の素材としては、例えば、織物、チュールレース等を用いることができる。これにより、表カップ１０５に、内カップ１０１ごとバストを引き上げる力を付与することができる。このように、本発明は、表カップに使用できる素材が幅広いため、デザインの自由度を広げることができる。
【００１４】
本実施形態において、バック部１０３は、伸縮性を有する素材で形成されている。バック部１０３に使用される素材は、特に制限されないが、例えば、パワーネット、ストレッチ織物、フライス、天竺、ストレッチレース等があげられる。表カップ１０５の伸縮部１０５Ａと同じ素材を用いれば、デザイン上の統一感を出すことができるため、好ましい。
【００１５】
本実施形態において、前述のように、内カップ１０１は特に制限されず、従来の種々の態様のカップ部を使用することができる。このように、本発明は、従来のあらゆるタイプのブラジャーと組み合わせて使用することができる。
【００１６】
本実施形態のブラジャーでは、連結係止部として、ホック（例えば、フック・アンド・アイ（鈎ホック））を使用することができるが、他の種類の係止具を使用してもよい。また、バック部１０３が連結係止部を有していなくてもよい。例えば、連結係止部を前中心に設けてフロントホックタイプとしてもよい。また、連結係止部がないタイプ、バック部を結んで係止するタイプであってもよい。
【００１７】
連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００１８】
本実施形態においては、肩ストラップ１０４の一端は表カップ１０５に取り付けられ、他端はバック部１０３の上辺部に取り付けられた円環、Ｚ環、エイト環などの係止具１０８Ａを通って反転し、エイト環からなる長さ調節具１０８Ｂに導入されることによって、肩ストラップ１０４の長さ調製が可能な状態で、肩ストラップ１０４の他端側が、バック部１０３の上辺部に取り付けられている。また、肩ストラップ１０４の一端は、バック部１０３の上辺部に直接固着されても良い。肩ストラップ１０４の態様はこれに限定されず、例えば、前記一対の表カップ１０５の上部同士を互いに繋ぐように取り付けられている、いわゆる「ホルターネック」タイプであってもよい。肩ストラップ１０４の取り付け位置は、表カップ１０５の形状やブラジャーのデザインによって決定することができる。肩ストラップ１０４は、表カップ１０５を肩から吊り下げるものであればよい。紐や布テープであってもよいし、タンクトップのような幅の広い、いわゆるラウンドタイプのストラップであってもよい。肩ストラップ１０４の態様は一対の表カップ１０５に対応して一対の肩ストラップ１０４をそれぞれ表カップ１０５上部とバック部１０３に取り付ける態様に限定されず、例えば、スポーツタイプのブラジャーの肩ストラップのように、背中側で２本の肩ストラップ１０４が一体となりバック部１０３に取り付けられる態様であってもよい。
【００１９】
以上、第１の実施形態としては、フルカップのブラジャーを例示して説明したが、本発明は、３／４カップや１／２カップのブラジャー等にも適用することができる。ただし、１／２カップのブラジャーでは、肩ストラップがカップ部を引く力が弱いため、本発明は、フルカップや３／４カップのブラジャーにおいて、好適に用いることができる。
【００２０】
（第２の実施形態）
図４に、本発明のカップ部を有する衣類の一例である、第２の実施形態に係るブラジャー２００を示す。図４は、ブラジャー２００のカップ部付近の背面図である。
【００２１】
図４（ａ）に示すように、本実施形態において、内カップ２０１は、上カップ部用部材２０１Ａおよび下カップ部用部材で構成され、前記下カップ部用部材は、脇側部材２０１Ｂ、中央部材２０１Ｃ、前中心側部材２０１Ｄとで構成されている。前記各部材は、縫着されて固着されている。
【００２２】
図４（ｂ）には、内カップ２０１を構成する部材間の辺について、符号を付して示している。本実施形態のブラジャー２００において、脇側部材２０１Ｂの下縁部（脇側下縁部）Ｐ１の曲率と、土台部２０２における脇側下縁部Ｐ１に配置される部分（脇側上縁部）Ｐ３の曲率とは、略同一である。図５（ａ）に、本実施形態の土台部２０２および内カップ２０１の展開図を、図５（ｂ）に、従来品のブラジャーの土台部およびカップ部の展開図を示す。図５（ｂ）において、二点鎖線で示すラインは、図５（ａ）におけるＰ１のラインである。図５（ｂ）に示すように、従来のブラジャーでは、土台部の上縁部よりもカップ部の下縁部の曲率を大きくしていた。これにより、土台部とカップ部とを固着した際、カップ部の下縁部から立体的に丸みを持たせることができるが、土台部とカップ部との固着部分に屈曲が生じる。これに対し、本実施形態では、図５（ａ）に示すように、内カップ２０１の脇側下縁部Ｐ１の曲率と、土台部２０２における脇側上縁部Ｐ３の曲率とが、略同一である。これにより、土台部２０２と内カップ２０１とを固着した際、脇側部分において、土台部２０２から内カップ２０１にかけて、屈曲なくフラットにすることができる。このように、脇側部分において、土台部２０２から内カップ２０１へのつながりがフラットであることにより、土台脇部から、カップ脇部および前中心側方向にかけて、バストを押す力が分断されずに働くため、図４に示す矢印の方向にバストを一気に押すことができる。これにより、本実施形態では、バストを持ち上げることができるのに加え、さらに、バストを前中心に寄せることもできるため、造形力をより高めることができる。
【００２３】
図９（ａ）、（ｂ）に、内カップ２０１の下縁部と土台部２０２との縫着方法の一例を示す。図９（ｂ）は、従来の縫着方法の一例である。図９（ｂ）に示すように、従来は、生地を重ねて縫着しており、生地の縫着部分には段差が生じていた。そこで、本実施形態では、図９（ａ）に示すように、内カップ２０１の下縁部と土台部２０２とは、生地をつき合わせて縫着されていることが好ましい。図９（ａ）において、内カップ２０１と土台部２０２との間の波線は、縫着箇所を示す。これにより、カップ部と土台部との間に段差が生じないため、土台部からカップ部にかけてのバストを押す力が分断されるのをより防ぐことができる。カップ部と土台部の端は、強度を高めるため、テープ２０９等でパイピングされていることが好ましい。さらに、縫着部分の強度を高めるために、生地をつき合わせた部分に、マーキゼット等の補強布２１０を重ねて縫着することが好ましい。
【００２４】
本実施形態のブラジャーにおいて、脇側部材２０１Ｂおよび土台部２０２は、内カップ２０１のその他の部分を形成する素材に比べて形状安定性が高い素材で形成されている。前記形状安定性が高い素材として、例えば、適度な剛性があって伸縮性の少ないダブルラッセル、パワーネット、圧縮不織布、樹脂シート等を用いることができる。これにより、土台部からカップ部２０１の脇側にかけて、広い範囲でバストを押さえることができる。そして、この押さえる力が、前述のとおり、土台脇部、カップ脇部および前中心側方向にかけて分断されずに働く。また、上脇のバストも寄せたい場合には、上カップ部用部材２０１Ａにも前記形状安定性が高い素材を用いることが好ましい。
【００２５】
本実施形態のブラジャーにおいて、脇側部材２０１Ｂは、丸みが出ないような形状に設計されている。これにより、バストの脇側が平らな面で押さえられるため、バストの脇側をさらに押さえることができる。
【００２６】
本実施形態において、上カップ部用部材２０１Ａと脇側部材２０１Ｂとが合わさる辺Ｐ５、および、脇側部材２０１Ｂと中央部材２０１Ｃとが合わさる辺Ｐ６においても、各部材の曲率が略同一であることが好ましい。これにより、脇側部分において、土台部２０２からカップ部２０１へのつながりがフラットであることに加え、カップ脇側もフラットにすることができるため、バストを前中心側に寄せる効果をより高めることができる。
【００２７】
本実施形態のブラジャーにおいて、前中心側部材２０１Ｄの下縁部（前中心側下縁部）Ｐ２の曲率と、土台部２０２における前中心側下縁部Ｐ２に配置される部分（前中心側上縁部）Ｐ４の曲率とは、略同一である。これにより、前中心側においても、土台部２０２から内カップ２０１にかけて、屈曲なくフラットになるため、脇側から寄せてきたバストを押さえず、前中心側にボリュームを出すことができる。
【００２８】
本実施形態のブラジャーにおいて、中央部材２０１Ｃ、前中心側部材２０１Ｄおよび上カップ部用部材２０１Ａは、バストトップに向かうに従って、肌側と反対側にゆるやかに凸となるように、丸みを帯びている。これにより、寄せてきたバストに丸みをつけ、きれいなシルエットに整えることができる。
【００２９】
中央部材２０１Ｃ、前中心側部材２０１Ｄおよび上カップ部用部材２０１Ａに丸みを付けるためには、上カップ部用部材２０１Ａと中央部材２０１Ｃとが合わさる辺Ｐ７、中央部材２０１Ｃと前中心側部材２０１Ｄとが合わさる辺Ｐ８、前中心側部材２０１Ｄと上カップ部用部材２０１Ａとが合わさる辺Ｐ９、中央部材２０１Ｃと土台部２０２とが合わさる辺（カップ部の中央下縁部）Ｐ１０において、各部材が、縫着後に丸みが出るパターンで形成されていることが好ましい。
【００３０】
本実施形態のブラジャーにおいて、中央部材２０１Ｃ、前中心側部材２０１Ｄに使用する素材は、特に制限されないが、肌当たりが柔らかい素材を用いることが、着用感を良くする点で好ましい。前記柔らかい素材としては、例えば、不織布、ウレタン、ダンボールニット、パワーネット等を用いることができる。
【００３１】
本実施形態のブラジャーでは、左右の内カップ２０１におけるそれぞれのバストトップ点Ｔ同士の間隔が狭く設定されている。従来では、ノンワイヤータイプのブラジャーでは、造形力がないため、左右のバストのバストトップが離れ、横長なシルエットになっていた。一方、左右のバストのバストトップを寄せるために、カップ部のバストトップ点の間隔を狭く設定しても、従来のノンワイヤータイプのブラジャーではバストを寄せることができないため、カップ部とバストがフィットせず、きれいなシルエットをつくることができなかった。これに対し、本発明によれば、前述のとおり、ノンワイヤータイプのブラジャーであるにもかかわらず、バストを土台脇側から前中心側にかけて押して寄せることができる。このため、左右のカップのバストトップ点同士の間隔を狭く設計しても、寄せられたバストがカップにフィットする。これにより、横長なバストシルエットになるのを防ぎ、きれいなシルエットをつくることができる。
【００３２】
本実施形態のブラジャーでは、内カップ２０１の上辺は、着用時にバストトップ点が隠れるようなバストトップ点際の位置を通る曲線に沿うように設計されている。これにより、内カップ２０１は、その上辺は、着用時にバストトップが隠れるのに必要なラインを有しつつ、面積を小さくすることができる。こうすることによって、造形力を有する内カップ２０１の面積を小さくすることができるため、より軽い着用感を出すことができる。また、前中心側のバストを覆うのは表カップ２０５のみであるため、前中心側に寄せられたバストがカップによって押さえられることがなく、前中心においてボリュームを出し、かつ、自然なシルエットに整えることができる。この場合は、着用者の動作によっては、内カップ２０１の上辺から着用者のバストトップが出てしまう可能性があるため、表カップ２０５を含めたカップ部全体の面積は一定程度広く設けられていることが好ましい。
【００３３】
なお、本実施形態において、内カップ２０１は、部材を接ぎ合わせて形成されているが、本発明はこれに限られず、一体成型されていてもよい。また、内カップのみではなく、土台部および内カップが一体成型されていてもよい。
【００３４】
（第３の実施形態）
図６に、本発明のカップ部を有する衣類の一例である、第３の実施形態にかかるブラジャー３００を示す。図６は、ブラジャー３００の正面図である。
【００３５】
本実施形態は、係脱自在の連結係止部３０７が前中心に設けられている、フロントホックタイプのブラジャーである。本実施形態は、表カップ１０５全体が伸縮性素材で形成されているが、第１の実施形態のように、伸縮部１０５Ａを設け、表カップ１０５の他の部分が非伸縮性または難伸縮性の素材から形成されていてもよい。その他は、第１の実施形態と同様である。連結係止部３０７は、特に制限されず、例えば、第１の実施形態と同様の係止具を、デザインや用途に応じて適宜選択して使用することができる。ここでは、第１の実施形態のブラジャーのフロントホックタイプについて説明したが、本発明はこれに限られず、他の実施形態のブラジャーをフロントホックタイプとすることもできる。このように、本発明は、外観を様々なバリエーションにして使用することができる。
【００３６】
（第４の実施形態）
図７に、本発明のカップ部を有する衣類の一例である、第４の実施形態にかかるブラジャー４００を示す。図７は、ブラジャー４００のカップ部付近の裏面図である。
【００３７】
本実施形態では、内カップ４０１の肌側にパッド受けが設けられており、パッドを使用できる。その他は、第２の実施形態と同様である。図７（ａ）に示すブラジャー４００は、内カップ４０１の肌側面全面とほぼ同じ面積のパッド受け４１０Ａを有し、前記肌側面の略中央部にパッドを挿入するための開口部を有している。また、図７（ｂ）に、パッド受け４１０Ａの変形例であるパッド受け４１０Ｂを有する場合を示す。パッド受け４１０Ｂは、内カップ４０１の脇側に設けられ、前中心側が開口部となっている。パッド受け４１０Ｂは、上辺を内側（内カップ側）に折り返して形成されていてもよい。この折り返し部分の内側にパッドを入れ込んで装着してもよいし、前記開口部からパッドを挿入し、パッド受け４１０Ｂと内カップ４０１との間に挟み込んで装着してもよい。このように、パッドを使用することにより、バストを脇から押さえる力をさらに付加することができる。
【００３８】
（第５の実施形態）
次に、図８（ａ）に本発明のカップ部を有する衣類のその他の例として、ブラキャミソール５００の斜視図を示す。
【００３９】
このブラキャミソール５００のブラジャー相当部分は、図１で説明したブラジャー１００とほぼ同一の概念のもとに設計されている。本態様においては、ブラキャミソール５００が、ブラジャー１００の下側に、身頃５０１を有している。本例では、身頃５０１が本発明におけるバック部を兼ねている。バック部を別途設けてその下に身頃５０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００４０】
（第６の実施形態）
図８（ｂ）に本発明のカップ部を有する衣類のその他の例として、ブラキャミソール６００の斜視図を示す。このブラキャミソール６００は、キャミソールの身頃内側にブラジャー相当部分が設けられており、前記ブラジャー相当部分は、図４で示したブラジャー２００の内カップ２０１および土台部２０２とほぼ同一の概念のもとに設計されている。本実施形態においては、ブラキャミソール６００は、ブラジャー相当部分を覆うように身頃６０１を有している。そして、内カップ２０１の上部と身頃部６０１とは、テープ状部材６０８によって係止されている。また、バック部１０３は連結係止部を有しておらず、連結係止部の操作をすることなく着脱ができる態様である。ここでは、第２の実施形態に係るブラジャー２００の内カップ２０１および土台部２０２とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本実施形態の構成にすることにより、カップ部のデザインにかかわらず、着用時の外観のバリエーションを多様にすることができる。また、カップ部が、アウター着用時において、アウターのシルエットに影響を及ぼすことを軽減できる。
【００４１】
図８（ｃ）に、ブラキャミソール６００の変形例（ブラキャミソール７００）を示す。本例において、身頃部７０１は、ブラジャー相当部を覆う部分と、その下に取り付けられる部分とに分かれ、前記ブラジャー相当部を覆う部分は、２枚の略三角形状の部材が、前中心部において一部が交差して重なるようにして設けられている。その他は、ブラキャミソール６００と同様である。このように、本発明は、様々なバリエーションの衣類に用いることができる。
【００４２】
以上、実施の形態の具体例として、ブラジャーおよびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、水着、レオタード、その他各種のカップ部を有する衣類に適用できる。
【産業上の利用可能性】
【００４３】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００４４】
１００、２００、３００、４００  ブラジャー
１０１、２０１、４０１  カップ部（内カップ）
２０１Ａ  上カップ部用部材
２０１Ｂ  脇側部材
２０１Ｃ  中央部材
２０１Ｄ  前中心側部材
１０２、２０２  土台部
１０３  バック部
１０４  肩ストラップ
１０５、２０５  表カップ
１０５Ａ  伸縮部
１０８Ａ  係止具
１０８Ｂ  長さ調節具
２０９  テープ
２１０  補強布
３０７  連結係止部
４１０Ａ、４１０Ｂ  パッド受け
５００、６００、７００  ブラキャミソール
５０１、６０１、７０１  身頃部
６０８  テープ状部材
Ｌ１  土台部下辺
Ｌ２  脇上辺
Ｌ３  カップ部下縁部
Ｐ１  カップ部の脇側下縁部
Ｐ２  カップ部の前中心側下縁部
Ｐ３  土台部の脇側上縁部
Ｐ４  土台部の前中心側上縁部
Ｐ５、Ｐ６、Ｐ７、Ｐ８、Ｐ９  内カップの部材間の辺
Ｐ１０  カップ部の中央下縁部
Ｔ  バストトップ点
【図１】
0005787146.tif 000002
【図２】
0005787146.tif 000003
【図３】
0005787146.tif 000004
【図４】
0005787146.tif 000005
【図５】
0005787146.tif 000006
【図６】
0005787146.tif 000007
【図７】
0005787146.tif 000008
【図８】
0005787146.tif 000009
【図９】
0005787146.tif 000010